(57)【要約】【課題】マルチＡＦと光学ファインダを組み合わせた撮影で、ピント合わせ（フォーカス）の方式をスポットＡＦへ自動的に切り替え、撮影者の合わせたいポイントにピントを合わせる撮像装置を提供する。【解決手段】複数のフォーカス方式を有し、取り外し可能な光学ファインダと、ライブビューを表示する液晶モニタとを搭載し、光学ファインダの使用状況を検知する使用状況検知手段と、使用状況検知手段の検知結果により、フォーカス方式を切り替えるフォーカス方式切替手段とを有する。【選択図】図１
2009042471.tif 000002
【特許請求の範囲】
【請求項１】
複数のフォーカス方式を有し、
取り外し可能な光学ファインダと、
ライブビューを表示する液晶モニタとを搭載した撮像装置であって、
前記光学ファインダの使用状況を検知する使用状況検知手段と、
前記使用状況検知手段の検知結果により、前記フォーカス方式を切り替えるフォーカス方式切替手段とを有することを特徴とする撮像装置。
【請求項２】
前記フォーカス方式は、マルチＡＦ、スポットＡＦを含むことを特徴とする請求項１に記載の撮像装置。
【請求項３】
前記使用状況検知手段は、セットアップメニューの設定と液晶モニタの画面表示の組み合わせであることを特徴とする請求項１に記載の撮像装置。
【請求項４】
前記使用状況検知手段は、前記光学ファインダの接眼部に設けたスイッチまたはセンサであることを特徴とする請求項１に記載の撮像装置。
【請求項５】
前記使用状況検知手段は、ホットシューに設けたスイッチであることを特徴とする請求項１に記載の撮像装置。
【請求項６】
前記使用状況検知手段は、ホットシューの通信端子を監視することを特徴とする請求項１に記載の撮像装置。
【請求項７】
前記使用状況検知手段は、液晶モニタの専用画面表示であることを特徴とする請求項１に記載の撮像装置。
【請求項８】
前記フォーカス方式切替手段は、前記使用状況検知手段により、前記光学ファインダが使用中であると判断された際には、スポットＡＦに切り替えることを特徴とする請求項１に記載の撮像装置。
【発明の詳細な説明】
【技術分野】
【０００１】
本発明は、マルチＡＦと光学ファインダを組み合わせた撮影を行う撮像装置に関する。
【背景技術】
【０００２】
今日のデジタルカメラは、以下の際に、背面液晶モニタでのライブビューによるファインダを使用せず、素通しあるいは逆ガリレオタイプの簡単な光学系を使ったカメラ内蔵の光学ファインダもしくはアクセサリシューに取り付ける外部光学ファインダで撮影を行う場合がある。
（１）液晶モニタの視認性が悪化する晴天時の屋外など、明るいシーンでの撮影時。
（２）液晶モニタのライブビュー表示にタイムラグがあるので、タイムラグを気にするシーンでの撮影時。
（３）消費電力が大きいので、電池を節約する時。
【０００３】
また、一般的にフォーカス（ピント合わせ）方式は、マルチＡＦ、スポットＡＦの切り替え式が採用されている。
マルチＡＦは、測距点（ＡＦエリア）を複数持ち、最も近距離の物体にピントが合うように制御することで中抜け写真を防ぐ時に使用する。
スポットＡＦは、ＡＦエリアを中央１点にし、撮影者の思ったところにピントを合わせたい場合に使用する。
【０００４】
また、一般的にピント合わせの結果表示（合焦・非合焦）はＬＥＤを光学ファインダの覗き窓付近に設け、光学ファインダを覗きながらでもＬＥＤの点滅状態にてピント合わせ結果を分かるようにしている。
【０００５】
また、一般的に合焦箇所の表示は、液晶モニタのみに設け、上記光学ファインダには表示しない。
【０００６】
マルチＡＦと液晶モニタでのライブビューを組み合わせた撮影では、液晶モニタ上にて合焦箇所を把握できるが、マルチＡＦと光学ファインダを組み合わせた撮影では、光学ファインダにて合焦箇所を把握出来ないことが、既に知られている。
【０００７】
特許文献１は、カメラ本体にアクセサリを接続して機構を向上させる際に、その接続するアクセサリの種類に応じてカメラ本体の動作モードを自動的に規定し、カメラ本体の操作を限定することによりカメラ本体の使い易さ、操作性の向上を図る目的で、マルチコネクタに接続されたアクセサリの種類に基づいて、カメラの動作モードを自動的に切り換えるカメラが開示されている。
【特許文献１】特許第３４９８７５４号公報
【発明の開示】
【発明が解決しようとする課題】
【０００８】
しかし、今までのマルチＡＦと光学ファインダを組み合わせた撮影では、マルチＡＦの特性として撮影者の合わせたいポイントにピントが合わないことがある、という問題があった。
【０００９】
例えば弊社デジタルカメラ〔ＧＲ ＤＩＧＩＴＡＬ〕にてピント合わせ（フォーカス）の方式をマルチＡＦに設定し、外部光学ファインダを装着し、ＤＩＳＰ．ボタンにて液晶モニタをオフに設定して撮影を行う。
【００１０】
光学ファインダの中央をＡＦエリアとして考えて撮影を行うと、撮影者の思ったところにピントが合わない、という問題が発生する。
【００１１】
そこで本発明は、マルチＡＦと光学ファインダを組み合わせた撮影で、ピント合わせ（フォーカス）の方式をスポットＡＦへ自動的に切り替える撮像装置を提供することを目的とする。
【課題を解決するための手段】
【００１２】
上記の目的を達成するため、請求項１に記載の発明は、複数のフォーカス方式を有し、取り外し可能な光学ファインダと、ライブビューを表示する液晶モニタとを搭載した撮像装置であって、前記光学ファインダの使用状況を検知する使用状況検知手段と、前記使用状況検知手段の検知結果により、前記フォーカス方式を切り替えるフォーカス方式切替手段とを有する撮像装置であることを特徴とする。
【００１３】
請求項２に記載の発明は、請求項１に記載の撮像装置において、前記フォーカス方式は、マルチＡＦ、スポットＡＦを含むことを特徴とする。
【００１４】
請求項３に記載の発明は、請求項１に記載の撮像装置において、前記使用状況検知手段は、セットアップメニューの設定と液晶モニタの画面表示の組み合わせであることを特徴とする。
【００１５】
請求項４に記載の発明は、請求項１に記載の撮像装置において、前記使用状況検知手段は、光学ファインダ接眼部に設けたスイッチまたはセンサであることを特徴とする。
【００１６】
請求項５に記載の発明は、請求項１に記載の撮像装置において、前記使用状況検知手段は、ホットシューに設けたスイッチであることを特徴とする。
【００１７】
請求項６に記載の発明は、請求項１に記載の撮像装置において、前記使用状況検知手段は、ホットシューの通信端子を監視することを特徴とする。
【００１８】
請求項７に記載の発明は、請求項１に記載の撮像装置において、前記使用状況検知手段は、液晶モニタの専用画面表示であることを特徴とする。
【００１９】
請求項８に記載の発明は、請求項１に記載の撮像装置において、前記フォーカス方式切替手段は、使用状況検知手段の結果、光学ファインダ使用中である場合はスポットＡＦに切り替えることを特徴とする。
【発明の効果】
【００２０】
本発明によれば、マルチＡＦと光学ファインダを組み合わせた撮影で、ピント合わせ（フォーカス）の方式をスポットＡＦへ自動的に切り替え、撮影者の合わせたいポイントにピントを合わせることができる撮像装置を提供することを可能とする。
【発明を実施するための最良の形態】
【００２１】
本発明は、以下を実現する。
【００２２】
液晶モニタをオフにして合焦箇所を把握できない外付けもしくは内蔵光学ファインダで撮影する時、ピント合わせ（フォーカス）の方式をスポットＡＦへ自動的に切り替え、
光学ファインダの中央を測距点として固定（制限）することにより、撮影者はカメラのピント合わせ箇所（ＡＦエリア）は光学ファインダの中央である、と考えやすくなり、その結果として撮影者の思ったところにピントを合わせられるようにする。
【００２３】
セットアップメニューに設定項目として〔光学ファインダモード〕（選択肢  ＯＮ、ＯＦＦ）を設け、ＯＦＦの場合は液晶モニタのオフ動作とピント合わせ（フォーカス）の方式は連動せず、ＯＮの場合は液晶モニタのオフ動作と連動してピント合わせ（フォーカス）の方式をスポットＡＦへ切り替えるようにしたので、マルチＡＦと光学ファインダを組み合わせた撮影で、ピント合わせ（フォーカス）の方式をスポットＡＦへ自動的に切り替え、撮影者の合わせたいポイントにピントを合わせることができる。
【００２４】
本発明を好適に行う実施の形態について説明する。なお、本実施形態は、一例であって、これに限定されることなく、趣旨を逸脱しない範囲内において、また、当業者が容易に想到できる範囲内において、変形可能とする。以下に示す態様では、デジタルカメラを撮像装置として用いる。
【００２５】
本発明に係るデジタルカメラについて図１、図２、図３、図４を用いて説明する。
図１は、デジタルカメラ本体の前面から見た構成図を示す。
図２は、デジタルカメラ本体の背面から見た構成図を示す。
図３は、本発明に係るデジタルカメラにおいて、撮影者による撮影メニュー設定画面を示す。
図４は、本発明に係るデジタルカメラにおいて、撮影設定メニューでピント合わせ（フォーカス方式）を設定する画面を示す。
【００２６】
図１に示すように、デジタルカメラ本体の前面には、ストラップ取り付け部１、解除ボタン２、モードダイヤル３、シャッタボタン４、ＡＦ窓５、電源ボタン６、ホットシュー７、フラッシュ８、アップダウンダイヤル９、マイク１０、ＡＦ補助光１１、レンズ１２、ＡＶ出力端子１３、ＵＳＢ端子１４が配置されている。
【００２７】
本発明のデジタルカメラの構成について図２を用いて説明する。
【００２８】
図２に示すように、デジタルカメラ本体１の背面には、液晶モニタ２０、オートフォーカス／フラッシュランプ２１、ＡＤＪ.ダイヤル２２、拡大表示ボタン２３、サムネイル表示ボタン２４、↑／フラッシュボタン２５、→ボタン２６、ＭＥＮＵ／ＯＫボタン２７、再生ボタン２８、←／クイックレビューボタン２９、削除／セルフタイマーボタン３０、↓／マクロボタン３１、ＤＩＳＰ.ボタン３２、ストラップ取り付け部３３、スピーカ３４、電源（ＤＣ 入力）ケーブルカバー３５、バッテリー／カードカバー３６、解除レバー３７、三脚ネジ穴（底面）３８が配置されている。
【００２９】
本実施形態のデジタルカメラは、高級タイプのカテゴリとして存在し、ホットシューに色々なアクセサリを取り付けてシステム構成を拡張することができる。
【００３０】
本実施形態のデジタルカメラは、ホットシューに外部ファインダを取り付けることができる。その様子は、図３に示される。
【００３１】
ホットシューのアクセサリシュー部分の形状は規格化されており、レンジファインダカメラで使用されていた外付けのファインダなどを取り付けることが出来る。
【００３２】
ピント合わせ（フォーカス）の方式は、図４に示す撮影メニューにより撮影者が設定出来る。
【００３３】
ピント合わせ（フォーカス）の方式には、以下に示すように、次の５種類がある。
【００３４】
【表１】
2009042471.tif 000003
オートフォーカス（ＡＦ）の方式は、マルチＡＦとスポットＡＦが有る。
マルチＡＦ派、カメラが１５箇所のＡＦエリアを自動的に測距視、最も近い位置にピントが合います。中抜けを防止し、ピンボケの少ない撮影ができます。
スポットＡＦは、ＡＦ エリアを液晶モニタ中央の１箇所に固定し、ピント合わせを行います。
マニュアルフォーカス（ＭＦ）は、オートフォーカスでピントが合わないときに、手動でピントを合わせることができます。
スナップは、撮影距離を近距離（約２．５ｍ）に固定して撮影することができます。スナップ撮影で人物を撮影するときに使います。
無限遠は、撮影距離を無限遠に固定して撮影することができます。遠くの風景などを撮影するときに使います。
【実施例１】
【００３５】
上述した本実施形態に係るデジタルカメラを好適に実施する実施例１について説明する。
実施例１に係るデジタルカメラについて図５、図６を用いて説明する。
図５は、本実施例に係るデジタルカメラにおけるセットアップメニューで光学ファインダモードを設定する図です。
図６は、本実施例に係るデジタルカメラで実施を行うフローチャートを示す。
【００３６】
図５に示すように、本実施例に係るデジタルカメラでは、セットアップメニューに[光学ファインダモード]を設ける。
【００３７】
［光学ファインダモード:ＯＮ］ａｎｄ［液晶モニタオフ］とすると、自動的に［フォーカス：スポットＡＦ］へ切り替わる。
【００３８】
被写体が構図の中央にないときは、被写体が光学ファインダの中央に来るようにして、シャッタボタンを半押しする。スポットＡＦに切り替わっているので、カメラは光学ファインダの中央にピント合わせを行う。
【００３９】
半押しのままカメラを動かして構図を決める。
【００４０】
シャッタボタンをそのまま静かにに押しきる。
【００４１】
（利点）
ファームウェアにてセットアップメニューに項目さえ追加すれば、すぐ実施可能。
（欠点）
セットアップメニューでの設定が必要で煩雑。
外部光学ファインダの場合、光学ファインダの取り付けを検出していないので、撮影者が意図しない所でスポットＡＦへ切り替わってしまう可能性が有る。
撮影者が光学ファインダを覗いているかを判別していないので、色々な撮影スタイルに対応できない。例えば、液晶モニタオンだが、光学ファインダを覗いて撮影する場合、撮影者は、スポットＡＦにして欲しいと願っている。
【００４２】
セットアップメニューにおいて、光学ファインダモードの設定に関しては、図５に示す。
【００４３】
光学ファインダモードの説明に関しては、次の表２に示す。
【００４４】
【表２】
2009042471.tif 000004
【００４５】
次に図６を用いて本実施例に係るデジタルカメラについての処理を説明する。
【００４６】
まず、光学ファインダモードに設定されているか否かが判断される（ステップＳ１０１）。
【００４７】
光学ファインダモードに設定されていると判断された場合（ステップＳ１０１／ＹＥＳ）、液晶モニタがオフであるか否かが判断される（ステップＳ１０２）。
【００４８】
ステップＳ１０２の処理で、液晶モニタがオフであると判断された場合（ステップＳ１０２／ＹＥＳ）、前回の設定値ａが記憶され、フォーカス方式は、スポットＡＦに設定される（ステップＳ１０３）。
【００４９】
ステップＳ１０２の処理で、液晶モニタがオフでないと判断された場合（ステップＳ１０２／ＮＯ）、フォーカス方式は、前回の設定値ａへ切り替えられる（ステップＳ１０４）。
【００５０】
ステップＳ１０２の処理で光学ファインダに設定されていないと判断された場合（ステップＳ１０１／ＮＯ）、ステップＳ１０３の処理後、ステップＳ１０４の処理後、シャッタボタンが半押しされたと判断されたか否かが判断される（ステップＳ１０５）。
【００５１】
ステップＳ１０５の処理で、シャッタボタンが押されていないと判断された場合（ステップＳ１０５／ＮＯ）、ステップＳ１０１の処理に戻る。
【００５２】
ステップＳ１０５の処理で、シャッタボタンが半押しされたと判断された場合（ステップＳ１０５／ＹＥＳ）、フォーカス方式に従い、ピントを合わせる（ステップＳ１０６）。
【００５３】
ステップＳ１０６の処理後、シャッタボタンが押し切られたか否かが判断される（ステップＳ１０７）。
【００５４】
ステップＳ１０７の処理で、シャッタボタンが押し切られず、半押し状態継続と判断された場合（ステップＳ１０７／ＮＯ：半押し状態継続）、次の処理に進まない。
【００５５】
ステップＳ１０７の処理で、シャッタボタンが押し切られず、シャッタボタンが押されていないと判断された場合（ステップＳ１０７／ＮＯ：押されていない）、ステップＳ１０７の処理に戻る。
【００５６】
ステップＳ１０７の処理で、シャッタボタンが押し切られたと判断された場合（ステップＳ１０７／ＹＥＳ）、画像を撮影して記録がされる（ステップＳ１０８）。
【実施例２】
【００５７】
本発明に係るデジタルカメラを好適に実施する実施例２について説明する。
実施例２に係るデジタルカメラについて図７、図８、図９を用いて説明する。
図７は、本実施例に係るデジタルカメラにおける接眼センサ概念図を示す。
図８は、近接センサの原理を説明する図である。
図９は、本実施例に係るデジタルカメラで実施を行うフローチャートを示す。
【００５８】
図７に示すように、カメラに接眼検出センサ（アイセンサ）を設け、撮影者が光学ファインダを覗いているか判別できる。
【００５９】
本実施例では、実施例１のセットアップメニュー[光学ファインダモード]も設けるとする。
【００６０】
［光学ファインダモード：ＯＮ］に設定し、撮影者が光学ファインダを覗くと自動的に［フォーカス：スポットＡＦ]へ切り替わる。このとき、液晶モニタをオフにしても良い。
【００６１】
近接センサは、フォトダイオードとＬＥＤを１組として１パッケージ化されている。
ＬＥＤを照射し、その反射光をフォトダイオードにて受光し、フォトダイオードのアナログ出力をあるしきい値を持ち判別することで、物体がしきい値で決められた距離に近づいたことを判定することが出来る。
【００６２】
（利点）
アイセンサにより、撮影者が光学ファインダを覗いているかを判別するので、色々な撮影スタイルに対応できる。
液晶モニタオフを自動化できるので、カメラの省電力化になる（近接センサの電力は液晶モニタと比較して小さい）。
【００６３】
（欠点）
セットアップメニューでの設定が必要で煩雑。
外部光学ファインダの場合、光学ファインダの取り付けを検出していないので、撮影者が意図しない所でスポットＡＦへ切り替わってしまう可能性がある。
【００６４】
次に図９を用いて本実施例に係るデジタルカメラについての処理を説明する。
【００６５】
まず、光学ファインダモードに設定されているか否かが判断される（ステップＳ２０１）。
【００６６】
光学ファインダモードに設定されていないと判断された場合（ステップＳ２０１／ＯＮ）、アイセンサ検出が終了される（ステップＳ２０２）。
【００６７】
光学ファインダモードに設定されていると判断された場合（ステップＳ２０１／ＹＥＳ）、アイセンサ検出が開始される（ステップＳ２０３）。
【００６８】
ステップＳ２０３の処理後、物体が近づいたか否かが判断される（ステップＳ２０４）。
【００６９】
ステップＳ２０４の処理で、物体が近づいたと判断された場合（ステップＳ２０４／ＹＥＳ）、液晶モニタは、オフされる（ステップＳ２０５）。
【００７０】
ステップＳ２０４の処理で、物体が近づいていないと判断された場合（ステップＳ２０４／ＮＯ）、液晶モニタは、オンされる（ステップＳ２０６）。
【００７１】
ステップＳ２０５の処理後、前回の設定値ａが記憶され、フォーカス方式は、スポットＡＦに設定される（ステップＳ２０７）。
【００７２】
ステップＳ２０６の処理後、フォーカス方式は、前回の設定値ａへ切り替えられる（ステップＳ２０８）。
【００７３】
ステップＳ２０２の処理後、ステップＳ２０７の処理後、ステップＳ２０８の処理後、シャッタボタンが半押しされたと判断されたか否かが判断される（ステップＳ２０９）。
【００７４】
ステップＳ２０９の処理で、シャッタボタンが押されていないと判断された場合（ステップＳ２０９／ＮＯ）、ステップＳ２０１の処理に戻る。
【００７５】
ステップＳ２０９の処理で、シャッタボタンが半押しされたと判断された場合（ステップＳ２０９／ＹＥＳ）、フォーカス方式に従い、ピントを合わせる（ステップＳ２１０）。
【００７６】
ステップＳ２１０の処理後、シャッタボタンが押し切られたか否かが判断される（ステップＳ２１１）。
【００７７】
ステップＳ２１１の処理で、シャッタボタンが押し切られず、半押し状態継続と判断された場合（ステップＳ２１１／ＮＯ：半押し状態継続）、次の処理に進まない。
【００７８】
ステップＳ２１１の処理で、シャッタボタンが押し切られず、シャッタボタンが押されていないと判断された場合（ステップＳ２１１／ＮＯ：押されていない）、ステップＳ２０１の処理に戻る。
【００７９】
ステップＳ２１１の処理で、シャッタボタンが押し切られたと判断された場合（ステップＳ２１１／ＹＥＳ）、画像を撮影して記録がされる（ステップＳ２１２）。
【実施例３】
【００８０】
本発明に係るデジタルカメラを好適に実施する実施例３について説明する。
実施例２に係るデジタルカメラについて図１０、図１１を用いて説明する。
図１０は、本実施例に係るデジタルカメラにおけるアクセサリ装着検出センサ概念図を示す。
図１１は、本実施例に係るデジタルカメラで実施を行うフローチャートを示す。
【００８１】
ホットシューにアクセサリ装着検出センサを設け、外部光学ファインダが装着されているか判別できる。
【００８２】
アクセサリ装着検出センサは、外部光学ファインダを使用できるように、アクセサリシューにある接点を使用して判別するのではなく、近接センサを用いる。
【００８３】
実施例１のセットアップメニュー［光学ファインダモード]も設ける。
【００８４】
実施例２の接眼検出センサ（アイセンサ）も設ける。
【００８５】
[光学ファインダモード：ＯＮ]に設定し、外部光学ファインダを装着し、撮影者が光学ファインダを覗くと自動的に[フォーカス：スポットＡＦ]へ切り替わる。どれか１つでも成立しなければ、[フォーカス：スポットＡＦ]へは切り替わらない。このとき、液晶モニタをオフにしても良い。
【００８６】
（利点）
アイセンサにより、撮影者が光学ファインダを覗いているかを判別するので、色々な撮影スタイルに対応できる。
外部光学ファインダ取り付けを検出（厳密にはアクセサリシューへのアクセサリ装着検出なので、アクセサリシューへ何かが取り付けられれば検出してしまう）するので、撮影者が光学ファインダを取り付けて覗いた時だけ、カメラはスポットＡＦへ切り替えることが出来る。
液晶モニタオフを自動化できるので、カメラの省電力化になる（近接センサの電力は液晶モニタと比較して小さい）。
【００８７】
（欠点）
セットアップメニューでの設定が必要で煩雑。
【００８８】
次に図１１を用いて本実施例に係るデジタルカメラについての処理を説明する。
【００８９】
まず、光学ファインダモードに設定されているか否かが判断される（ステップＳ３０１）。
【００９０】
光学ファインダモードに設定されていないと判断された場合（ステップＳ３０１／ＯＮ）、アクセサリ検出が終了される（ステップＳ３０２）。
【００９１】
光学ファインダモードに設定されていると判断された場合（ステップＳ３０１／ＹＥＳ）、アクセサリ検出が開始される（ステップＳ３０３）。
【００９２】
ステップＳ３０３の処理後、光学ファインダが検出されたか否かが判断される（ステップＳ３０４）。
【００９３】
ステップＳ３０４の処理で、光学ファインダが検出されていないと判断された場合（ステップＳ３０４／ＮＯ）、アクセサリ検出が終了される（ステップＳ３０５）。
【００９４】
ステップＳ３０４の処理で、光学ファインダが検出された場合（ステップＳ３０４／ＹＥＳ）、アクセサリ検出が開始される（ステップＳ３０６）。
【００９５】
ステップＳ３０６の処理後、物体が近づいたか否かが判断される（ステップＳ３０７）。
【００９６】
ステップＳ３０７の処理で、物体が近づいたと判断された場合（ステップＳ３０７／ＹＥＳ）、液晶モニタは、オフされる（ステップＳ３０８）。
【００９７】
ステップＳ３０７の処理で、物体が近づいていないと判断された場合（ステップＳ３０７／ＮＯ）、液晶モニタは、オンされる（ステップＳ３０９）。
【００９８】
ステップＳ３０８の処理後、前回の設定値ａが記憶され、フォーカス方式は、スポットＡＦに設定される（ステップＳ３１０）。
【００９９】
ステップＳ３０９の処理後、フォーカス方式は、前回の設定値ａへ切り替えられる（ステップＳ３１１）。
【０１００】
ステップＳ３０２の処理後、ステップＳ３０５の処理後、ステップＳ３１０の処理後、ステップＳ３１１の処理後、シャッタボタンが半押しされたと判断されたか否かが判断される（ステップＳ３１２）。
【０１０１】
ステップＳ３１２の処理で、シャッタボタンが押されていないと判断された場合（ステップＳ３１２／ＮＯ）、ステップＳ３０１の処理に戻る。
【０１０２】
ステップＳ３１２の処理で、シャッタボタンが半押しされたと判断された場合（ステップＳ３１２／ＹＥＳ）、フォーカス方式に従い、ピントを合わせる（ステップＳ３１３）。
【０１０３】
ステップＳ３１３の処理後、シャッタボタンが押し切られたか否かが判断される（ステップＳ３１４）。
【０１０４】
ステップＳ３１４の処理で、シャッタボタンが押し切られず、半押し状態継続と判断された場合（ステップＳ３１４／ＮＯ：半押し状態継続）、次の処理に進まない。
【０１０５】
ステップＳ３１４の処理で、シャッタボタンが押し切られず、シャッタボタンが押されていないと判断された場合（ステップＳ３１４／ＮＯ：押されていない）、ステップＳ３０１の処理に戻る。
【０１０６】
ステップＳ３１４の処理で、シャッタボタンが押し切られたと判断された場合（ステップＳ３１４／ＹＥＳ）、画像を撮影して記録がされる（ステップＳ３１５）。
【実施例４】
【０１０７】
本発明に係るデジタルカメラを好適に実施する実施例４について説明する。
実施例４に係るデジタルカメラについて図１２、図１３、図１４を用いて説明する。
図１２は、本実施例に係るデジタルカメラにおける光学ファインダモードでの液晶モニタ画面を示す。
図１３は、本実施例に係るデジタルカメラにおけるＤＩＳＰ．ボタンでの画面表示切り替えを示す。
図１４は、本実施例に係るデジタルカメラで実施を行うフローチャートを示す。
【０１０８】
本実施例では、実施例１のセットアップメニュー[光学ファインダモード]の代わりに、ＤＩＳＰ.ボタンのトグルの中に[光学ファインダモード]を設ける。
【０１０９】
ＤＩＳＰ.ボタンを押すと、マークの表示/非表示を切り替えるなど、画面の表示状態を変更することができる。ＤＩＳＰ．ボタンは、１回押すごとに、ヒストグラム表示→グリッドガイド表示→表示なし→[光学ファインダモード]→液晶モニタオフ→通常のマーク表示→ヒストグラム表示→・・・と切り替わります。
【０１１０】
光学ファインダモードでは、撮影に必要な情報（撮影モード、ＩＳＯ感度、ホワイトバランスなど）を表示したり、ガイダンスを表示したりすると、撮影者には光学ファインダモードに入ったことが分かりやすくなる。
【０１１１】
ＤＩＳＰ.ボタンで光学ファインダモードへ液晶モニタ表示を切り替えると、自動的に［フォーカス:スポットＡＦ］へ切り替わる。
【０１１２】
（利点）
セットアップメニューでの設定煩雑さを解消。専用ボタンを使用するので利便性高い。
【０１１３】
（欠点）
ＤＩＳＰ.ボタンのトグル回数が増えるので、画面表示の切り替えがやや煩雑になる。
【０１１４】
図１２は、実施例４の光学ファインダモードでの液晶モニタ画面図です。
【０１１５】
次に図１３を用いて本実施例に係るデジタルカメラについての処理を説明する。
【０１１６】
ユーザによって液晶モニタが光学ファインダモードであるか否かが判断される（ステップＳ４０１）。
【０１１７】
液晶モニタが光学ファインダモードであると判断された場合（ステップＳ４０１／ＹＥＳ）、前回の設定値ａが記憶され、フォーカス方式がスポットＡＦに設定される（ステップＳ４０２）。
【０１１８】
液晶モニタが光学ファインダモードであると判断されない場合は（ステップＳ４０１／ＮＯ）、フォーカス方式が前回の設定値ａへ切り替えられる（ステップＳ４０３）。
【０１１９】
ステップＳ４０１の処理後、ステップＳ４０２の処理後、シャッタボタンが半押しされたか否かが判断される（ステップＳ４０４）。
【０１２０】
ステップＳ４０４の処理で、シャッタボタンが押されていないと判断された場合（ステップＳ４０４／ＮＯ）、ステップＳ４０１の処理に戻る。
【０１２１】
ステップＳ４０４の処理で、シャッタボタンが半押しされたと判断された場合（ステップＳ４０４／ＹＥＳ）、フォーカス方式に従い、ピントを合わせる（ステップＳ４０５）。
【０１２２】
ステップＳ４０４の処理後、シャッタボタンが押し切られたか否かが判断される（ステップＳ４０６）。
【０１２３】
ステップＳ４０６の処理で、シャッタボタンが押し切られず、半押し状態継続と判断された場合（ステップＳ４０６／ＮＯ：半押し状態継続）、次の処理に進まない。
【０１２４】
ステップＳ４０６の処理で、シャッタボタンが押し切られず、シャッタボタンが押されていないと判断された場合（ステップＳ４０６／ＮＯ：押されていない）、ステップＳ４０１の処理に戻る。
【０１２５】
ステップＳ４０６の処理で、シャッタボタンが押し切られたと判断された場合（ステップＳ４０６／ＹＥＳ）、画像を撮影して記録がされる（ステップＳ４０７）。
【実施例５】
【０１２６】
本発明に係るデジタルカメラを好適に実施する実施例５について説明する。
実施例５に係るデジタルカメラについて図１５、図１６、図１７を用いて説明する。
図１５は、本実施例に係るデジタルカメラにおけるマイセッティング登録画面を示す。
図１６は、本実施例に係るデジタルカメラにおける、ＤＩＳＰ．オフ時設定画面を示す。
図１７は、本実施例に係るデジタルカメラで実施を行うフローチャートを示す。
【０１２７】
実施例１〜４共に[光学ファインダモード]にすると、[フォーカス：スポットＡＦ]へ切り替へを行っていたが、切り替える対象を[フォーカス]だけではなく、マイセッティング機能にする。
マイセッティング機能は、現在のカメラ設定をマイセッティングとして登録することが出来る機能。
弊社ＧＲ ＤＩＧＩＴＡＬのマイセッティングでは、以下の内容が保持される。
マイセッティングで保持される内容を以下の表３に示す。
【０１２８】
【表３】
2009042471.tif 000005
【０１２９】
マイセッティングにしたい値に、カメラの設定を変更する。このとき、フォーカス：スポットＡＦに設定すれば、実施例１〜４と同等の効果が得られる。
【０１３０】
本実施例に係るデジタルカメラにおけるマイセッティング登録画面については、図１５に示す。
【０１３１】
セットアップメニューを表示する。
↓ボタンを押して、[マイセッティング登録]を選び、→ボタンを押すと、確認メッセージが表示される。
[設定１]または[設定２]を選び、ＭＥＮＵ／ＯＫボタンを押すと、現在のカメラ設定が登録される。
【０１３２】
次に、セットアップメニューでＤＩＳＰ．オフ時の設定を行う。
［マイセッティング登録］で登録した設定を、ＤＩＳＰ.オフ時（光学ファインダモード）のカメラの設定を自動的に変更するようにする。
【０１３３】
本実施例に係るデジタルカメラにおける、ＤＩＳＰ．オフ時設定画面については、図１６に示す。
【０１３４】
セットアップメニューを表示する。
↓ボタンを押して、［ＤＩＳＰ．オフ時設定］を選び、→ボタンを押す。
[設定１]または[設定２]を選び、ＭＥＮＵ／ＯＫボタンを押すと、選択したマイセッティングへＤＩＳＰ．オフ時自動的に切り替える。
【０１３５】
次に図１７を用いて本実施例に係るデジタルカメラについての処理を説明する。
【０１３６】
ユーザによって液晶モニタがオフにされたか否かが判断される（ステップＳ５０１）。
【０１３７】
液晶モニタがオフにされたと判断された場合（ステップＳ５０１／ＹＥＳ）、ＤＩＳＰ．オフ時設定された否かが判断される（ステップＳ５０２）。
【０１３８】
液晶モニタがオフにされたと判断されない場合は（ステップＳ５０１／ＮＯ）、ｂにマイセッティング記憶値があるか否かが判断される（ステップＳ５０３）。
【０１３９】
ステップＳ５０２の処理で、設定１が行われたと判断された場合（ステップＳ５０２／設定１）、
現在のマイセッティング値ｂを記憶する（ステップＳ５０４）。
【０１４０】
ステップＳ５０２の処理で、設定２が行われたと判断された場合（ステップＳ５０２／設定２）、
現在のマイセッティング値ｂを記憶する（ステップＳ５０４）。
【０１４１】
ステップＳ５０２の処理で、ＯＦＦ設定と判断された場合（ステップＳ５０２／ＯＦＦ）、
ｂにマイセッティング記憶値があるか否かが判断される（ステップＳ５０３）。
【０１４２】
ステップＳ５０３の処理後で、ｂにマイセッティング値があると判断された場合（ステップＳ５０３／ＹＥＳ）、マイセッティング値ｂへ切り替え、ｂの記憶がクリアされる（ステップＳ５０６）。
【０１４３】
ステップＳ５０４の処理後、ステップＳ５０５の処理後、ステップＳ５０６の処理後、シャッタボタンが半押しされたか否かが判断される（ステップＳ５０７）。
【０１４４】
ステップＳ５０７の処理で、シャッタボタンが半押しされたと判断された場合（ステップＳ５０７／ＹＥＳ）、フォーカス方式に従い、ピントを合わせる（ステップＳ５０８）。
【０１４５】
ステップＳ５０８の処理後、シャッタボタンが押し切られたか否かが判断される（ステップＳ５０９）。
【０１４６】
ステップＳ５０９の処理で、シャッタボタンが押し切られず、半押し状態継続と判断された場合（ステップＳ５０９／ＮＯ：半押し状態継続）、次の処理に進まない。
【０１４７】
ステップＳ５０９の処理で、シャッタボタンが押し切られず、シャッタボタンが押されていないと判断された場合（ステップＳ５０９／ＮＯ：押されていない）、ステップＳ５０１の処理に戻る。
【０１４８】
ステップＳ５０９の処理で、シャッタボタンが押し切られたと判断された場合（ステップＳ５０９／ＹＥＳ）、画像を撮影して記録がされる（ステップＳ５１０）。
【図面の簡単な説明】
【０１４９】
【図１】本発明に係るデジタルカメラ本体の前面から見た構成図を示す。
【図２】本発明に係るデジタルカメラ本体の背面から見た構成図を示す。
【図３】本発明に係るデジタルカメラにおいて、撮影者による撮影メニュー設定画面を示す。
【図４】本発明に係るデジタルカメラにおいて、撮影設定メニューでピント合わせ（フォーカス方式）を設定する画面を示す。
【図５】第１の実施例に係るデジタルカメラにおけるセットアップメニューで光学ファインダモードを設定する図です。
【図６】第１の実施例に係るデジタルカメラで実施を行うフローチャートを示す。
【図７】第２の実施例に係るデジタルカメラにおける接眼センサ概念図を示す。
【図８】第２の実施例に係るデジタルカメラの近接センサの原理を説明する図である。
【図９】第２の実施例に係るデジタルカメラで実施を行うフローチャートを示す。
【図１０】第３の実施例に係るデジタルカメラにおけるアクセサリ装着検出センサ概念図を示す。
【図１１】第３の実施例に係るデジタルカメラで実施を行うフローチャートを示す。
【図１２】第４の実施例に係るデジタルカメラにおける光学ファインダモードでの液晶モニタ画面を示す。
【図１３】第４の実施例に係るデジタルカメラにおけるＤＩＳＰ．ボタンでの画面表示切り替えを示す。
【図１４】第４の実施例に係るデジタルカメラで実施を行うフローチャートを示す。
【図１５】第５の実施例に係るデジタルカメラにおけるマイセッティング登録画面を示す。
【図１６】第５の実施例に係るデジタルカメラにおける、ＤＩＳＰ．オフ時設定画面を示す。
【図１７】第５の実施例に係るデジタルカメラで実施を行うフローチャートを示す。
【符号の説明】
【０１５０】
１    ストラップ取り付け部
２    解除ボタン
３    モードダイヤル
４    シャッタボタン
５    ＡＦ窓
６    電源ボタン
７    ホットシュー
８    フラッシュ
９    アップダウンダイヤル
１０    マイク
１１    ＡＦ補助光
１２    レンズ
１３    ＡＶ出力端子
１４    ＵＳＢ端子
【図１】
2009042471.tif 000006
【図２】
2009042471.tif 000007
【図３】
2009042471.tif 000008
【図４】
2009042471.tif 000009
【図５】
2009042471.tif 000010
【図６】
2009042471.tif 000011
【図７】
2009042471.tif 000012
【図８】
2009042471.tif 000013
【図９】
2009042471.tif 000014
【図１０】
2009042471.tif 000015
【図１１】
2009042471.tif 000016
【図１２】
2009042471.tif 000017
【図１３】
2009042471.tif 000018
【図１４】
2009042471.tif 000019
【図１５】
2009042471.tif 000020
【図１６】
2009042471.tif 000021
【図１７】
2009042471.tif 000022